(57)【要約】【課題】  各種報知音や操作説明などの音声報知が、カンガルー式操作部の開閉により聞こえ方に変化が無く、違和感や不快感を感じさせないようにした使い勝手のよい誘導加熱調理器を提供する。【解決手段】  トッププレート２と、該トッププレート２下方の本体１内に設けた加熱コイル５と、前記本体１の前面部に設けたグリル加熱手段６と、前記トッププレート２の上面に設けた上面操作部１２と、前記本体１の前面で前記グリル加熱手段６の隣に設けた開閉収納式の前面操作部１０と、前記加熱コイル５及び前記グリル加熱手段６を駆動制御する制御手段３０７と、前記制御手段３０７により駆動制御される音声合成手段３０８と、前記音声合成手段３０８の出力を調節する音声出力調節手段１６とを備えた誘導加熱調理器において、前記音声出力調節手段１６は、前記前面操作部１０の開閉に連動して前記音声合成手段３０８の出力を調節するように構成した。【選択図】図３
2010080357.tif 000002
【特許請求の範囲】
【請求項１】
本体の上面に設けたトッププレートと、該トッププレート下方の前記本体内に設けた加熱コイルと、前記本体の前面部に設けたグリル加熱手段と、前記トッププレートの上面に設けた上面操作部と、前記本体の前面で前記グリル加熱手段の隣に設けた開閉収納式の前面操作部と、前記加熱コイル及び前記グリル加熱手段を駆動制御する制御手段と、前記制御手段により駆動制御される音声合成手段と、前記音声合成手段の出力を調節する音声出力調節手段とを備えた誘導加熱調理器において、前記音声出力調節手段は、前記前面操作部の開閉に連動して前記音声合成手段の出力を調節するように構成したことを特徴とする誘導加熱調理器。
【請求項２】
請求項１記載の誘導加熱調理器において、前記音声出力調節手段は、前記前面操作部の開閉角度に連動して前記音声合成手段の出力を調節するように構成したことを特徴とする誘導加熱調理器。
【請求項３】
請求項１，２の何れかに記載の誘導加熱調理器において、前記音声合成手段の音声出力用スピーカーを前記前面操作部内に設けたことを特徴とする誘導加熱調理器。
【発明の詳細な説明】
【技術分野】
【０００１】
本発明は、本体前面に開閉収納式の前面操作部を備えた誘導加熱調理器に関するものである。
【背景技術】
【０００２】
従来、この種の誘導加熱調理器は、本体と、その本体の上方を覆うトッププレートと、トッププレート下方の本体内に設けられた加熱コイルと、この加熱コイルを駆動する制御回路とを備え、加熱コイルは、高周波磁界を発生させることによりトッププレート上に載置した鍋等の被加熱物を誘導加熱する。
【０００３】
また、本体前面部にはグリル加熱手段と、このグリル加熱手段を操作する開閉収納式の前面操作部（カンガルー式）とが設けられている。
【０００４】
制御回路には使用者が調理の設定入力する操作部からの入力信号や、鍋が誘導加熱に適正であるかどうか、あるいは、鍋の有無を判定する入力判定手段からの入力信号が入力されている。
【０００５】
また、制御回路には、該制御回路からの音声データ出力を入力し、音声に変換する音声合成手段が接続されており、制御回路の出力信号に基づいて音声に変換された音声がアンプにより増幅されスピーカーから音声が出力される。
【０００６】
そして、使用者の操作部からの入力信号や、鍋が誘導加熱に適正であるかどうか、あるいは、鍋の有無を判定する入力判定手段からの入力信号に基づいて各種報知音や操作説明などの音声報知を行い、使用者に報知を認識し易くして、使い勝手を向上させている（例えば、特許文献１参照）。
【０００７】
【特許文献１】特開２００６−１７２９７７号公報
【発明の開示】
【発明が解決しようとする課題】
【０００８】
しかしながら、上記の従来技術において、本体内に設けたスピーカーから出力する音声合成手段の音声は、開閉収納式の前面操作部を開けた場合と閉めた場合とでは、本体内と外部間との隙間の大きさが大きく変化するため、その隙間の変化につれて同じに設定された音量でも聞こえ方が変わってしまう。
【０００９】
このため、音量設定時に前面操作部の開閉状態を考慮する必要があったり、使用中に違和感や不快感を感じるなど、利便性や快適性を損なう恐れがあった。
【００１０】
本発明は、前記の従来技術の課題を解決するもので、各種報知音や操作説明などの音声報知が、開閉収納式の前面操作部の開閉により聞こえ方が変化して違和感や不快感を感じることがなく、報知を認識し易くして使い勝手の良い誘導加熱調理器を提供することにある。
【課題を解決するための手段】
【００１１】
本発明は上記の課題を解決するためになされたものであり、請求項１では、本体の上面に設けたトッププレートと、該トッププレート下方の前記本体内に設けた加熱コイルと、前記本体の前面部に設けたグリル加熱手段と、前記トッププレートの上面に設けた上面操作部と、前記本体の前面で前記グリル加熱手段の隣に設けた開閉収納式の前面操作部と、前記加熱コイル及び前記グリル加熱手段を駆動制御する制御手段と、前記制御手段により駆動制御される音声合成手段と、前記音声合成手段の出力を調節する音声出力調節手段とを備えた誘導加熱調理器において、前記音声出力調節手段は、前記前面操作部の開閉に連動して前記音声合成手段の出力を調節するように構成したものである。
【００１２】
また、請求項２では、前記音声出力調節手段は、前記前面操作部の開閉角度に連動して前記音声合成手段の出力を調節するように構成したものである。
【００１３】
また、請求項３では、前記音声合成手段の音声出力用スピーカーを前記前面操作部内に設けたものである。
【発明の効果】
【００１４】
本発明の誘導加熱調理器は、上記のように構成したことにより、各種報知音や操作説明などの音声報知が、開閉収納式の前面操作部の開閉により聞こえ方が変化せず、違和感や不快感を感じることが無く、報知が認識し易く使い勝手の良い誘導加熱調理器を提供することができる。
【発明を実施するための最良の形態】
【００１５】
以下、本発明の実施例について図面を用いて説明する。
【実施例１】
【００１６】
図１は、本発明の実施例１を説明する誘導加熱調理器をシステムキッチンに組み込んだ状態の斜視図、図２は誘導加熱調理器の斜視図である。
【００１７】
図において、１は、誘導加熱調理器の本体である。２は、本体１の上面を覆うトッププレートで、耐熱性の高い素材、例えば、結晶化ガラス等が用いられ、その上面には鍋等の調理器具（被加熱物）が載置される。
【００１８】
３は、トッププレート枠であり、トッププレート２の周囲の端部を覆うもので、該トッププレート２の間にはシール材が充填されており、これによりトッププレート枠３はトッププレート２に固着されている。そして、トッププレート２の上に液体がこぼれても、シール材により本体１内部への水の進入が防止され水密構造が実現される。
【００１９】
また、トッププレート枠３は本体１にも固定されていて、本体１をシステムキッチン１３に組み込むときには、トッププレート枠３で本体１を吊り下げて設置される。
【００２０】
４は、鍋位置表示部であり、トッププレート２の上面に設けられ、鍋等の調理器具の載置場所を表示している。
【００２１】
５は、加熱コイルで、トッププレート２に略水平になるように鍋位置表示部４の下方の本体１内に設けられており、加熱コイル５に高周波電流を印加して高周波磁界を発生させ、トッププレート２に載置された鍋等の調理器具を誘導加熱する。
【００２２】
６は、グリル加熱手段であり、加熱コイル５の下方で本体１の左側または右側（本実施例では左側）の本体１前面部に設けられ、矩形状の箱体で構成されていて、中に入れられた被加熱物を加熱する後記するシーズヒーター等の加熱手段を有している。
【００２３】
７は、グリル加熱手段６の扉で、取って７ａが設けられており、グリル加熱手段６の内部には扉７に伴って出し入れ可能な受け皿（図示せず）が収納されている。
【００２４】
８は、トッププレート枠３の後枠部に開口する吸気部であり、後記するインバータ回路や加熱コイル５などを冷却する空気を吸気する。
【００２５】
９は、トッププレート枠３の後枠部に開口する排気部であり、インバータ回路や加熱コイル５などを冷却した空気やグリル加熱手段６からの排煙を排気する。そして、吸気部８、および排気部９は、トッププレート２上にこぼした液体が開口部から吸気部８や排気部９内に落下しても本体１内部のインバータ回路等に侵入しない構成となっている。
【００２６】
１０は、開閉収納式の前面操作部で、主にグリル加熱手段６を操作するものであり、本実施例ではグリル加熱手段６の隣に位置するように本体１の前面右側に設けられている。そして、後述する図４に示すように下部に設けられた回動軸１０ｃを中心として前面側に飛び出し、前面操作キー１０ａと前面表示部１０ｂが上方側に向かって露出する所謂カンガルーポケット式となっている。
【００２７】
また、前面操作部１０は、閉じているときに上部を本体１側に押すことによりロック装置（図示せず）が解除され、前面操作部１０の上部が前面側にバネと制動装置（図示せず）により前面側にゆっくりと回動して飛び出すようになっており、逆に閉じるときは上部を本体１側に向かって押し込むことにより本体１に収納され、ロック装置により保持される構成となっている。
【００２８】
なお、図１は前面操作部１０が開いている状態を示し、図２は前面操作部１０が閉じている状態を示す。
【００２９】
前面操作部１０の前面操作キー１０ａは、グリル加熱手段６のシーズヒーターを入り切りする等の操作を行い、前面操作キー１０ａで操作した内容は前面表示部１０ｂで使用者に判り易く表示される。
【００３０】
１１は、電源切／入スイッチで、本体１前面に設けられ、本体１の主電源の入り切りを行う。
【００３１】
１２は、上面操作部で、プレート枠３の前側に設けられており、夫々の加熱コイル５の出力等を調節する上面操作キー１２ａから構成されている。
【００３２】
図３は、実施例１における誘導加熱調理器の回路構成を説明するブロック図である。
【００３３】
図において、３０１は、誘導加熱調理器に入力する商用の交流電源である。３０２は、グリル加熱手段６の内部に入れられた被加熱物を加熱するシーズヒーターである。３０３は、シーズヒーター３０２の通電を制御するヒータ制御回路である。３０４，３０５，３０６は、夫々の加熱コイル５の通電を制御するインバータ回路である。
【００３４】
３０７は、マイクロコンピュータで構成された制御手段で、前面操作キー１０ａや、上面操作キー１２ａの操作信号を入力し、前面表示部１０ｂに表示信号を出力する。また、シーズヒーター３０２の通電を制御するヒータ制御回路３０３や、加熱コイル５の通電を制御するインバータ回路３０４，３０５，３０６に制御信号を出力する。
【００３５】
３１１は、温度検出器で、トッププレート２の下面の温度を検出し、被加熱物である鍋の温度をトッププレート２を介して検出する。
【００３６】
また、制御手段３０７には、音声合成手段３０８が接続されており、該音声合成手段３０８は、制御手段３０７より入力された音声データを音声に変換し、音声合成手段３０８に接続された音量調節手段であるスライドボリューム１６により音量が調節され、増幅器３１０により増幅した後、音声出力用スピーカー１５により音声として出力する。そして、使用者が上面操作キー１２ａや前面操作キー１０ａを操作するときの操作確認や、エラーが発生したときのエラーのお知らせ、鍋の空焚きを温度検出器３１１により検知したときの報知等を音声により判り易く使用者に伝える。
【００３７】
増幅器３１０は、音声出力用スピーカー１５より出力される音量を可変できるように制御手段３０７により制御されて増幅度が調節される。
【００３８】
図４は、前面操作部１０が開いた状態の要部縦断面図である。
【００３９】
図において、１４は、前面操作部１０の上部に設けられた前面操作キー１０ａや前面表示部１０ｂが搭載されている基板である。音声出力用スピーカー１５は、前面操作部１０の内部空間１０ｃに取り付けられている。
【００４０】
音声出力用スピーカー１５から出力される音声は、前面操作部１０の開閉により使用者に聞こえ方が異なる。その理由は、前面操作部１０が閉じられていると前面操作部１０の内部から外部に通じる隙間が非常に少なく、前面操作部１０を開けると外部に通じる隙間が多くなるためである。このように誘導加熱調理器の本体１から外部に通じる隙間の大きさが変化すると、同じ音量でも音声出力用スピーカー１５から出力される音声の聞こえ方が変わり、使用者に違和感や不快感を感じさせてしまう。
【００４１】
そこで、前面操作部１０の開閉により、使用者の音声の聞こえ方が変わらないようにするため、前面操作部１０の開閉に連動するスライドボリューム１６で構成された音量調節手段３０９が設けられ、スライドボリュームのレバー１６ａが前面操作部１０の回動に連動して移動し、スライドボリュームの抵抗値が変化し、音声出力用スピーカー１５から出力される音量が前面操作部１０が開くに従って小さくなるように構成している。
【００４２】
以上のように構成された誘導加熱調理器の動作を以下説明する。
【００４３】
例えば使用者が、トッププレート２の手前左側の加熱コイル５により揚げ物調理する場合は、天ぷら鍋に油を入れ、加熱コイル５上の鍋位置表示部４の中心に鍋を置き、次に電源切／入スイッチ１１を入れる。
【００４４】
次に上面操作キー１２ａを操作して予め登録してある自動調理メニューの揚げ物調理を設定し、予熱を開始する。温度検出器３１１による油温が設定した温度に到達し、予熱が終了すると、音声出力用スピーカー１５から「適温になりました」と発声して知らせる。調理を開始し、終わったら上面操作キー１２ａを操作して加熱を停止し、電源切／入スイッチ１１を押して主電源を切る。
【００４５】
ここで、音声出力用スピーカー１５から出力される音声の音量は、予め使用者の聞き易い音量となるように、例えば前面操作部１０の前面操作キー１０ａを操作して設定しておくと、制御手段３０７は前面操作キー１０ａの入力から音声出力用スピーカー１５の増幅器３１０を制御して増幅度を調節する。
【００４６】
グリル加熱手段６で魚等を焼く場合は、グリル加熱手段６の受け皿の上に被加熱物を載せ、電源切／入スイッチ１１を入れる。
【００４７】
次に前面操作部１０の上部を本体１側に押してロック装置を解除し、前面側に回動させて、前面操作キー１０ａと、前面表示部１０ｂを上方側に向かって露出させる。
【００４８】
次に、前面操作キー１０ａを操作して魚焼きの自動調理メニューを選択し、さらに前面操作キー１０ａを操作して食材に適した仕上がりを設定した後、加熱を開始する操作を行う。調理が終了すると、音声出力用スピーカー１５から「グリル調理が終わりました」と発声して知らせ、電源切／入スイッチ１１を押して電源を切る。
【００４９】
音声を発生する条件はこの他にも、使用者の上面操作部１２からの入力信号や、鍋が誘導加熱に適正であるかどうか、あるいは、鍋の有無や鍋の空焚き等の入力信号に基づいて操作確認やエラー発生のお知らせ、鍋の空焚き等の報知等を行う。
【００５０】
そして、これらの音声報知音は、前面操作部１０が開いた状態と閉じられた状態で使用者に聞こえる音量を常に一定となるように、前面操作部１０の開閉に連動した音声出力調節手段３０９のスライドボリューム１６の動作により音声合成手段３０８の出力を調節する。
【００５１】
また、音声の報知中に前面操作部１０を開閉した場合には、前面操作部１０の開閉角度の変化により本体１から外部に通じる隙間の大きさが連続的に変化するが、前面操作部１０の開閉に連動するスライドボリューム１６で構成された音量調節手段３０９により、前面操作部１０の開閉角度に応じて連続的にスライドボリューム１６の抵抗値が変化するため、音声出力用のスピーカー１５から出力される報知中の音量は連続的に変化することができる。
【００５２】
このように、本実施例１の形態においては、前面操作部１０の開閉状態に応じて音声出力用スピーカー１５の出力が連続的に調節されるので、音声の音量が変化しなくなるため聞こえ方が変わり、使用者に違和感や不快感を感じさせてしまうことが無くなり、報知を認識し易く、使い勝手が向上する。
【００５３】
また、スピーカーの取り付け位置を、前面操作部１０の空間部に設けることにより、操作する使用者に近い位置で発声させることができるため、使用者に効率良く音声を届けることが可能となる。
【実施例２】
【００５４】
図５は、本発明の第２の実施例を示すもので、前面操作部１０が開いた状態の要部縦断面図である。
【００５５】
図５において、上記した第１の実施例と同一の部分については、同一符号を付し、その説明を省略する。
【００５６】
第１の実施例との違いは、スライドボリューム１６で構成した音量調節手段３０９に代わりに、前面操作部１０の閉じた状態を検出するリミットスイッチ１７を設けた点である。
【００５７】
リミットスイッチ１７のヒンジレバー１７ａの作動によるオン・オフにより、前面操作部１０の開閉を検出して、閉じている場合は音声出力用スピーカー１５の出力を所定レベル上昇させ、開いている場合は音声出力用スピーカー１５の出力を所定レベル下げるように音量調節用の可変アッテネータ回路（図示せず）をリミットスイッチのオン・オフにより切り換える。
【００５８】
上記構成により、使用者に聞こえる音声の音量の変化がなくなり、使用者は違和感や不快感を感じることがなく、報知が認識し易く使い勝手が向上する。
【００５９】
このように、本実施例２の形態においては、前面操作部１０の開閉状態を検出して音声出力用スピーカー１５の出力が調節されるので、前面操作部１０の開閉状態によって音量の変化がなくなり、使用者に違和感や不快感を感じさせることが無くなり、報知を認識し易く、使い勝手が向上する。
【００６０】
また、音量調節手段３０９を簡単な構成にしてコストを低く押さえることができる。
【００６１】
なお、上記の各実施例では前面操作部１０の開閉に連動して音声合成手段３０８の出力を調節する音声出力調節手段３０９を、スライドボリューム１６や、リミットスイッチ１７で構成したが、特にこれに限定されることはない。同等の効果を奏する範囲において種々変更して実施できるものである。
【図面の簡単な説明】
【００６２】
【図１】本発明の実施例１を説明する誘導加熱調理器をシステムキッチンに組み込んだ状態の斜視図である。
【図２】本発明の実施例１における誘導加熱調理器の斜視図である。
【図３】本発明の実施例１における誘導加熱調理器の構成を説明するブロック図である。
【図４】前面操作部が開いた状態の要部縦断面図である。
【図５】本発明の実施例２における前面操作部が開いた状態の要部縦断面図である。
【符号の説明】
【００６３】
１  本体
２  トッププレート
５  加熱コイル
６  グリル加熱手段
１０  前面操作部
１２  上面操作部
１５  音声出力用スピーカー
１６  スライドボリューム
３０７  制御手段
３０８  音声合成手段
【図１】
2010080357.tif 000003
【図２】
2010080357.tif 000004
【図３】
2010080357.tif 000005
【図４】
2010080357.tif 000006
【図５】
2010080357.tif 000007